(57)【要約】  【課題】収納食品の種類に応じて適切な貯蔵環境にするとともに、各貯蔵室の使い勝手を同時に向上した冷蔵庫を提供することを目的とする。  【解決手段】冷蔵庫本体１０１を形成する断熱箱体１０２と、断熱箱体１０２の天面後方に設置された圧縮機１２０とを備え、冷蔵庫本体１０１の最下段に位置する貯蔵室を左右に区画して第一の冷凍室１０６、第二の冷凍室１０７に形成され、少なくともその一方を引き出し式扉１１１で構成するものであり、下部区画をさらに左右の領域に区画しても収納スペースが大きく減少することなく構成することができ、かつ引き出し式扉によって奥のものまで出し入れし易くすることができる。【選択図】図３
2007147224.tif 000002
【特許請求の範囲】
【請求項１】
冷蔵庫本体を形成する断熱箱体と、複数の貯蔵室と、前記複数の貯蔵室のそれぞれに前面開口部を塞ぐ扉と、前記断熱箱体の天面後方に設置された圧縮機とを備え、前記複数の貯蔵室のうち、前記冷蔵庫本体の最下段に位置する貯蔵室は左右に区画して形成され、少なくともその一方を引き出し式扉で構成することを特徴とする冷蔵庫。
【請求項２】
前記引き出し式扉は、前記最下段の貯蔵室の他方よりも幅方向で小さくした請求項１に記載の冷蔵庫。
【請求項３】
前記引き出し式扉は、奥行き方向で略全体を引き出せる構成にした請求項１または２に記載の冷蔵庫。
【請求項４】
前記引き出し式扉は、前記断熱箱体の側壁に摺動部を備え、前後方向へ摺動させるよう構成した請求項２または３に記載の冷蔵庫。
【請求項５】
前記断熱箱体を断熱された仕切壁によって上部区画と、下部区画とに区画形成し、前記下部区画は前面開口を塞ぐ扉によって左右の領域に区画され、前記左右の領域のいずれか一方の領域をさらに前面開口を塞ぐ扉によって上下の領域に区画するとともに、前記上下の領域を引き出し式扉で構成した請求項１から４のいずれか一項に記載の冷蔵庫。
【請求項６】
前記上部区画を冷蔵温度帯の貯蔵室とし、前記下部区画の前記引き出し式扉を備えた貯蔵室を冷凍温度帯の貯蔵室とし、前記引き出し式扉の上領域を製氷室とした請求項５に記載の冷蔵庫。
【請求項７】
前記他方の領域を上下の領域に区画するとともに、その前面開口を引き出し式扉で構成し、その上方を野菜室とし、下方を冷凍室で形成した請求項５または６に記載の冷蔵庫。
【請求項８】
前記上部区画の貯蔵室は、前面開口を塞ぐ扉を有し、その扉は前記製氷室の幅の延直線で左右に分割された請求項６または７に記載の冷蔵庫。
【発明の詳細な説明】
【技術分野】
【０００１】
本発明は、冷蔵庫の各貯蔵室の配置及び扉に関するものである。
【背景技術】
【０００２】
従来、左右に分割された貯蔵室を区画している冷蔵庫において、特許文献１に参照するように、最下段の貯蔵室が左右に分割されて引き出し式扉で構成されているものが提案されている。
【０００３】
図６、図７は特許文献１に記載された従来の冷蔵庫を示すものである。図６は従来の冷蔵庫の扉を開けた状態の斜視図、図７は従来の冷蔵庫の縦断面図である。
【０００４】
図６、図７に示すように２は冷蔵庫本体１内を上下に区画する断熱区画壁であり、上部に上部区画３、下部に下部区画４を形成し、冷凍サイクルの圧縮機５は下部区画４の最下段の後方領域に収納されている。６は上部区画３内を左右に区画する第１の区画壁であり、７は下部区画４内を左右に区画する第２の区画壁である。８は第１の区画壁６により一側に形成された冷蔵室、９は冷蔵室８の下部に区画壁１０を挟んで形成された野菜室である。１１は第１の区画壁６により他側に形成されたボトル収納室である。１２は第２の区画壁７により一側に形成された冷凍室、１３は他側に形成された製氷室である。
【０００５】
冷蔵室８の開口面には開閉自在に取り付けられたヒンジ開閉式扉１４が設けられている。野菜室９は開口面に開閉自在に取り付けられた引出し式扉１５を設けており、室内側の収納容器（図示せず）を一体に引き出せるように構成されている。
【０００６】
ボトル収納室１１は開口面に開閉自在に取り付けられた引出し式扉１６を設けており、室内側の収納容器１７、１８、１９、２０を一体に引き出せるように構成されている。また、冷凍室１１は開口面に開閉自在に取り付けられた引出し式扉２１を設けており、室内側の収納容器（図示せず）を一体に引き出せるよう構成されている。製氷室１２は開口面に開閉自在に取り付けられた引出し式扉２２を設けており、室内側の収納容器（図示せず）を一体に引き出せるように構成されている。
【特許文献１】特開２００１−２６３９１３号公報
【発明の開示】
【発明が解決しようとする課題】
【０００７】
しかしながら、上記従来の構成では、従来一般的であった下部区画４の後方に圧縮機を収納することで、その設置容積分貯蔵室側に突出し、下部区画４の収納スペースを減少させる。また、貯蔵室を左右に分割することによって、左右を仕切る仕切壁等が必要となり、さらに収納スペースの減少に繋がるという課題を有していた。
【０００８】
本発明は、上記従来の課題を解決するもので、冷蔵庫本体１の無効スペースをうまく活用し、下部区画４の収納スペースを増加させることはもちろんのこと、引き出し式扉の構成によって貯蔵室に収納された食品を引き出して奥まで出し入れが非常にし易い冷蔵庫を提供することを目的とする。
【課題を解決するための手段】
【０００９】
冷蔵庫本体を形成する断熱箱体と、複数の貯蔵室と、前記複数の貯蔵室のそれぞれに前面開口部を塞ぐ扉と、前記断熱箱体の天面後方に設置された圧縮機とを備え、前記複数の貯蔵室のうち、前記冷蔵庫本体の最下段に位置する貯蔵室は左右に区画して形成され、少なくともその一方を引き出し式扉で構成するものである。
【００１０】
これによって、下部区画をさらに左右の領域に区画しても収納スペースが大きく減少することなく構成することができ、かつ引き出し式扉によって奥まで取り出しやすくすることができる。
【発明の効果】
【００１１】
本発明の冷蔵庫は、断熱箱体の天面後方に圧縮機を収納することで、下部区画の収納スペースを増大させた上で、左右に区画することで収納物の形状や目的に応じた区画収納をすることができる。
【００１２】
また引き出し式扉で構成することで、奥に収納している収納物を手前に簡単に引き出すことができるため、収納物が出し入れしやすい構造にすることができる。
【００１３】
また、左右に分割し引き出し式扉の幅方向の寸法を小さくすることで、扉を引き出した時に左右両側から収納物を取り出せるという利点も有する。
【発明を実施するための最良の形態】
【００１４】
請求項１に記載の発明は、冷蔵庫本体を形成する断熱箱体と、複数の貯蔵室と、前記複数の貯蔵室のそれぞれに前面開口部を塞ぐ扉と、前記断熱箱体の天面後方に設置された圧縮機とを備え、前記複数の貯蔵室のうち、前記冷蔵庫本体の最下段に位置する貯蔵室は左右に区画して形成され、少なくともその一方を引き出し式扉で構成するものであり、断熱箱体の天面後方に圧縮機を収納することで、下部区画の収納スペースを増大させた上で、最下段の貯蔵室を左右に分割することで収納物の形状や目的に応じた区画収納をすることができる。また引き出し式扉で構成することで、奥に収納している収納物を手前に簡単に引き出すことができるため、収納物が出し入れしやすい構造にすることができる。
【００１５】
請求項２に記載の発明は、請求項１に記載の発明において、前記引き出し式扉は、前記最下段の貯蔵室の他方よりも幅方向で小さくしたものであり、左右に分割し幅方向の寸法を小さくすることで、収納物をある程度重ねずに収納することができ、扉を引き出した時に左右両側から収納物を取り出せるという利点も有する。また、扉自体を小さくすることで、その操作感を軽くしスムーズ性を向上させることも可能となる。
【００１６】
請求項３に記載の発明は、請求項１または２に記載の発明において、前記引き出し式扉は、奥行き方向で略全体を引き出せる構成にしたものであり、奥に収納している収納物も完全に手前にまで引き出すことができるので、さらに出し入れがしやすい。また収納物を確実に目でとらえることができるので、扉を開放する時間が短くて済み冷気漏れを抑制し、省エネにも繋がる。
【００１７】
請求項４に記載の発明は、請求項２または３に記載の発明において、前記引き出し式扉は、前記断熱箱体の側壁に摺動部を備え、前後方向へ摺動させるよう構成したものであり、従来からの両壁で支持する構成ではなく、摺動させるレール等が片側のみで構成するので、その片側分の無効スペースを活用し、収納スペースを増大することができる。
【００１８】
また、隣の貯蔵室は相対的に同じ温度帯の貯蔵室であれば、その貯蔵室との間に仕切壁を設けることなく引き出し式扉を構成できるので、さらなる収納スペースの拡大と見た目の広々感を持つことができて貯蔵室内の視認性やデザイン性も向上するという利点を有する。
【００１９】
請求項５に記載の発明は、請求項１から４のいずれか一項に記載の発明において、前記断熱箱体を断熱された仕切壁によって上部区画と、下部区画とに区画形成し、前記下部区画は前面開口を塞ぐ扉によって左右の領域に区画され、前記左右の領域のいずれか一方の領域をさらに前面開口を塞ぐ扉によって上下の領域に区画するとともに、前記上下の領域を引き出し式扉で構成したものであり、従来下後方に存在した圧縮機による貯蔵室への突出代が極端に小さくなることで、貯蔵室の背面側がフラットに近い形状になり、収納容器の形状を直方体に近い形状にすることができ、その貯蔵室を上下に分割しても上下共に収納スペースを増大することができる。さらに、区分収納による使い分けができ、必要に応じた扉開閉による温度上昇の低減が図れ、省エネにも繋がる。
【００２０】
請求項６に記載の発明は、請求項５に記載の発明において、前記上部区画を冷蔵温度帯の貯蔵室とし、前記下部区画の前記引き出し式扉を備えた貯蔵室を冷凍温度帯の貯蔵室とし、前記引き出し式扉の上領域を製氷室としたものであり、製氷室の上端を冷蔵庫本体の略中央付近に位置させることで、腰をかがめることなく楽な姿勢で取り出すことができとともに、他の部屋と独立させることで、冷凍収納物と氷の使い分けができ、臭い移りを防止したキレイな氷を提供するとともに、必要に応じた扉開閉による温度上昇の低減が図れ、省エネにも繋がる。
【００２１】
請求項７に記載の発明は、請求項５または６に記載の発明において、前記他方の領域を上下の領域に区画するとともに、その前面開口を引き出し式扉で構成し、その上方を野菜室とし、下方を冷凍室で形成したものであり、野菜室の上端を冷蔵庫本体の略中央付近に位置させることで、腰をかがめることなく楽な姿勢で取り出すことができとともに、使用頻度及び収納物による適切な寸法に応じた貯蔵室のレイアウトと使いやすい扉の開閉状態の組み合わせが実現でき、冷蔵庫全体としての使い勝手が高まる。また、引き出した時に左右両側から収納物を容易に出し入れできる利便性も有する。
【００２２】
請求項８に記載の発明は、請求項６または７に記載の発明において、前記上部区画の貯蔵室は、前面開口を塞ぐ扉を有し、その扉は前記製氷室の幅の延直線で分割させたものであり、最上部の貯蔵室の扉を分割することで、区画収納ができるとともに必要に応じた扉開閉による温度上昇の低減が図れ、省エネにも繋がる。また、冷蔵庫本体の上下方向の全高で縦ラインが一直線で構成することができるので、高級感とデザイン性の向上が図れる。
【００２３】
以下、本発明による冷蔵庫の実施の形態について、図面を参照しながら説明する。なお、この実施の形態によってこの発明が限定されるものではない。
【００２４】
（実施の形態１）
以下、本発明の実施の形態１を図１から図５に基づいて説明する。図１は本発明の実施の形態１における冷蔵庫の正面図、図２は同実施の形態における冷蔵庫の縦断面図、図３は同実施の形態における冷蔵庫の扉を開けた時の斜視図、図４は同実施の形態における冷蔵庫の天面後方の分解斜視図、図５は同実施の形態における冷蔵庫の引き出し式扉を引き出した時の上から見た図である。
【００２５】
図において、冷蔵庫本体１０１は断熱箱体１０２内に複数に区画された貯蔵室を有しており、上部より冷蔵室１０３、製氷室１０４及びこの製氷室１０４に並設された野菜室１０５、第一の冷凍室１０６及びこの第一の冷凍室１０６に並設された第二の冷凍室１０７の順に配置されている。
【００２６】
各貯蔵室の前面開口部には、例えばウレタンのような発泡断熱材を発泡充填した断熱扉が設けられ、冷蔵室１０３には回転式の扉１０８、製氷室１０４、野菜室１０５、第一の冷凍室１０６、第二の冷凍室１０７には、それぞれ引き出し式の扉１０９、１１０、１１１、１１２が設けられている。冷蔵室１０３は収納形態によって左右で扉を分割し、双方を内側から外側に開く観音開き式扉や一方を引き出し式扉で構成することもある。
【００２７】
断熱箱体１０２は、ＡＢＳなどの樹脂体を真空成型した内箱１１３とプリコート鋼板などの金属材料を用いた外箱１１４とで構成された空間に発泡断熱材１１５を注入してなる断熱壁を備えている。ここで、発泡断熱材１１５はたとえば硬質ウレタンフォームやフェノールフォームやスチレンフォームなどが用いられる。発泡材としてはハイドロカーボン系のシクロペンタンを用いると、温暖化防止の観点でさらによい。
【００２８】
また、各貯蔵室を区画形成するための仕切壁を備えており、例えば冷蔵室１０３と製氷室１０４、野菜室１０５とを区画するための仕切壁１１６を備え、断熱箱体１０２を上部区画１１７と下部区画１１８に区画形成している。下部区画１１８はさらに左右に区画された左側の領域には上から順に製氷室１０４、第一の冷凍室１０６、一方右側の領域には上から順に野菜室１０５、第二の冷凍室１０７を形成している。
【００２９】
次に、断熱箱体１０２の各貯蔵室について説明する。
【００３０】
冷蔵室１０３は冷蔵保存のために凍らない温度を下限に通常１〜５℃で設定されている。貯蔵室内は上方を圧縮機１２０を収納するための凹み部が突出して形成され、食品などを整理して収納するための複数の棚１２１を設けている。最下段には肉魚などの保鮮性向上のためのチルドケース１２２を設け比較的低めの温度、たとえば−３〜１℃で設定されている。
【００３１】
製氷室１０４は、氷を生成して貯留するために通常−１８℃で設定される。庫内は氷を生成するための製氷機構（図示せず）を設け、氷を貯留する貯氷容器（図示せず）を収容している。
【００３２】
野菜室１０５は、冷蔵室１０３と同等もしくは若干高い温度設定の２℃〜７℃とすることが一般的で、低温にするほど葉野菜の鮮度を長期間維持することが可能である。庫内は野菜などの食品を整理して収納できる野菜室容器１２４を収容している。
【００３３】
第一の冷凍室１０６及び第二の冷凍室１０７は、冷凍保存のために通常−２２〜−１８℃で設定されているが、冷凍保存状態の向上のために、たとえば−３０や−２５℃の低温で設定されることもある。庫内は食品を整理して収納できる冷凍室容器１２５を収容している。ここでは第一の冷凍室１０６は第二の冷凍室１０７よりも幅方向で小さく形成し、高さ方向に長い引き出し扉となっているが、両室をほぼ中央付近で区画した構成も考えられる。
【００３４】
また、第一の冷凍室１０６の引き出し式扉１１１は、手前に引き出せるような摺動部材１２３で前後方向に摺動させている。本実施の形態では、断熱箱体１０２の左側の断熱壁に摺動部材１２３としてのレールを上下に支持固定し、引き出し式扉１１１と連結させているが、一般的に使われる左右の壁に摺動部材１２３を支持固定しても構わない。
【００３５】
野菜室１０５と第二の冷凍室１０７の背面に冷却室１３０が設けられ、冷却室１３０は断熱性を有する仕切壁１３１で野菜室１０５及び第二の冷凍室１０７とを仕切っている。
【００３６】
冷却室１３０には、庫内の空気を熱交換させて冷気に変換する蒸発器１３２と、各貯蔵室に冷気を送るための冷却ファン１３３をその上方に位置させ、冷却時に蒸発器１３２に付着する霜を除霜するためのヒータなどで構成された除霜装置１３４が備えられている。また、除霜された水を貯留するための蒸発皿１３５は、断熱箱体１０２の底面付近に配置されるよう構成されている。
【００３７】
次に、断熱箱体１０２の天面部について説明する。
【００３８】
断熱箱体１０２の天面後方のコーナー部には、冷蔵室１０３の庫内側に突出する形で凹ませた機械室１３６が形成されている。機械室１３６は、樹脂成型で形成された機械室の外郭１３７を鋼板製の外箱１１４を切り欠いた箇所に嵌めこんだ形で係合して接合して形成され、その内部には、機械室の外郭１３７の底面に載置された圧縮機１２０、凝縮器の一部となる予冷凝縮器１３８等、冷凍サイクルの高圧側の機器が収容され、これらを繋ぐ冷媒配管１３９が複数出入りする。
【００３９】
圧縮機１２０は冷蔵庫本体１０１の上部への設置を考慮して低騒音、低振動化を図りやすい内部低圧型でかつ往復動型の圧縮機を適用している。また、冷凍サイクル内の冷媒としては、地球環境保全の観点から地球温暖化係数が小さい可燃性冷媒であるイソブタンを使用している。
【００４０】
発熱を伴なう高圧側の機器である圧縮機１２０、予冷凝縮器１３８の放熱促進を図るため、強制通風用の放熱ファン１４０が圧縮機１２０と予冷凝縮器１３８との中間位置即ち機械室１３６の幅方向の中間位置に配置されている。放熱ファン１４０を中間にして強制通風の上流側に予冷凝縮器１３８、下流側に圧縮機１２０を配置し、上流側と下流側を区画形成している。
【００４１】
また、機械室１３６は上方と背方とが開放されており、この開放面を覆う形で機械室カバー１４１を機械室の外郭１３７に係合させて取り付けている。機械室カバー１４１は、樹脂で形成され、機械室１３６内の外部との空気の流通口１４２を備えている。空気の流通口１４２は、機械室１３６の幅方向に強制対流作用が行われるように構成されている。
【００４２】
以上のように構成された冷蔵庫において、以下その動作について説明する。
【００４３】
まず、圧縮機１２０を断熱箱体１０２の天面後方の機械室１３６に載置して、機械室１３６内の主要部品である圧縮機１２０、予冷凝縮器１３８を放熱ファン１４０で強制放熱することで機械室１３６の容積を小型化し冷蔵室１０３の収納容積を減少させずに、従来主であった最下方の貯蔵室である冷凍室１０６、１０７の後方領域には配置せず、断熱箱体１０２の最下部の奥行き方向での収納スペースを増大することができる。
【００４４】
さらに、貯蔵室側に形成した冷却室１３０を野菜室１０５、第二の冷凍室１０７に跨らせ極力突出させないことで、さらに奥行き方向の収納スペースが増すとともに、冷却室１３０が位置する下部区画１１８を奥行き方向でほぼ同一の大きさにすることができる。
【００４５】
したがって、第一の冷凍室１０６、第二の冷凍室１０７の奥行き方向の収納スペースを飛躍的に増大することが可能となる。この収納スペースの増大による収納性の向上は第一の冷凍室１０６が回転式扉であっても享受できるものであるが、第一の冷凍室１０６を引き出し式扉１１１で構成することで、収納物をその収納容器（図示せず）とともに引き出せるようになり収納物の出し入れ性を大きく向上することができる。また、第一の冷凍室１０６と第二の冷凍室１０７のように冷凍温度帯の貯蔵室を分割することによる、収納物の形状や目的に応じた区分収納をし、収納物の整理整頓や見分けが簡単になるという利点も有する。
【００４６】
すなわち、従来の冷蔵庫では最下段の貯蔵室を左右に分割すると、奥行き方向に圧縮機１２０の配置による収納スペースが確保できないため、非常に容量感のない手狭な印象を与え、事実、収納物も限られた形のものしか収納できないものであったが、本実施の形態では使用者が見下ろして収納物を確認し、出し入れする下部区画１１８に奥行き方向の充分な収納スペースを形成させるとともに、最下段の貯蔵室を左右に分割してもその広々感を確保したまま目的に応じた区分収納することができる。
【００４７】
また、下部区画１１８の貯蔵室の奥面が平面状になるため、その手前に位置する野菜室１０５の収納容器１２４や、第二の冷凍室１０７の収納容器１２５をほぼ直方体状に形成できるので、収納物の収納効率も向上する。特に一般的な冷凍食品である箱物を多く収納する第二の冷凍室１０７においては非常に効果的である。
【００４８】
上述したような効果は、販売構成上の主力機種である奥行き６０ｃｍ以上の冷蔵庫においても有効であるが、食器棚とほぼ面一に設置できる薄型タイプの奥行き４５ｃｍから５０ｃｍ程度の冷蔵庫であれば、奥行き方向の容量感が出て非常に有効になる。
【００４９】
次に、第一の冷凍室１０６を冷蔵庫本体１０１の前方向で収納容器（図示せず）のほぼ全体を引き出せるよう構成する、例えば引き出し式扉１１１を前後方向に摺動させるための引き出し代の長い摺動部材１２３を引き出し式扉１１１に支持固定することによって、従来取り出しにくかった貯蔵室内の奥側でも収納物を簡単に出し入れできるという利点を有する。この摺動部材１２３を他の引き出し式扉、例えば製氷室１０４、野菜室１０５、第二の冷凍室１０７の引き出し式扉１０９、１１０、１１２に使用しても上記と同様の効果を得ることが可能となる。
【００５０】
また、第二の冷凍室１０７も引き出し式扉にし、最下段の左右領域を双方ともに引き出し扉で構成することで、例えば図５に示すように使用者が冷蔵庫本体１０１の手前に立った状態で、その場所から移動しなくとも左右の扉を開き、収納物を横方向から出し入れができるようになる。
【００５１】
また、第一の冷凍室１０６を前後方向に摺動させる摺動部材１２３を断熱箱体１０２の断熱壁に設置し、引き出し式扉１１１を摺動部材１２３と連結固定させることで、従来から主であった貯蔵室の左右壁で支持する構成ではなく、摺動部材１２３が貯蔵室の左側の上下のみで構成できるので、右側分の無効スペースを活用し、貯蔵室内の収納スペースを増大することができる。さらに、隣の貯蔵室である第二の冷凍室１０７は相対的に同じ温度帯であるので、必要に応じて仕切壁を設けることなく貯蔵室を構成できるので、さらなる収納スペースの拡大と見た目の広々感を持つことが可能となる。
【００５２】
なお、下部区画１１８の幅方向ラインは同じで製氷室１０４の高さを低くし、第一の冷凍室１０６の高さを高くすることで、使用者の必要量に応じた貯蔵室の収納容量にすることができ、特に第一の冷凍室１０６はアイスクリームや細長い冷凍食品を立てて収納することもできて非常に便利である。
【００５３】
次に、冷蔵室１０３に関しては、上部区画１１７に設けた冷蔵室１０３の前面開口を塞ぐ扉１０８を分割し扉１０８ａを構成することで、冷蔵室１０３の扉１０８に設けた収納ポケット１４０への区分収納ができるとともに必要に応じた扉開閉による温度上昇の低減が図れ、省エネにも繋がる。また、分割した一方の扉を製氷室１０４や第一の冷凍室１０６と同じ幅で構成することによって、冷蔵庫本体の上下方向の全高で縦ラインが一直線で構成することができるので、高級感とデザイン性の向上が図れる。
【００５４】
また、分割した冷蔵室１０３の扉１０８ａを引き出し式扉とし、その下方に位置する製氷室１０４及び第一の冷凍室１０６も引き出し式扉で構成すると縦ラインの統一感とともに、冷蔵庫本体１０１の全高で構成される引き出し式扉の統一感も得ることが可能となる。さらに、扉１０８ａの摺動部材１５０を断熱箱体１０２の左側の断熱壁に支持固定し、前後に引き出せるようにすると、冷蔵室１０３が扉１０８ａの区画と扉１０８の区画との間に仕切りが必要なしに広々感をもったままの貯蔵室構成ができるとともに、ペットボトル、ビン類等を扉１０８ａの引き出しに、大物や皿等を扉１０８の回転式に、という形で区画収納が可能となる。
【００５５】
本実施の形態における貯蔵室の配置に関しては、使用者の目線の位置にあり収納容量の大きい冷蔵室１０３は回転扉１０８を備え、室内の全体が正面で見渡せて収納物の出し入れがしやすい。比較的低い位置にある野菜室１０５は使いやすい高さ位置で引出し扉１１０を設けているため、腰を屈めず立ち姿勢のままで収納容器１２４を手前に引き出して上から覗き込んでの出し入れができ、重い野菜（キャベツ、白菜、大根）なども持ち上げることなくスムーズに出し入れができる。独立に設けた製氷室１０４は引き出し式扉１０９を備えており、氷を収納容器の上面からすくい出す動作をするのに、腰をかがめず楽な姿勢で取り出しができると同時に、他室からの臭い移りを防止しキレイな氷を提供することができる。比較的幅の狭い第一の冷凍室１０６は、ペットボトルやアイススティック、食パンなどを収納し、比較的幅の大きい第二の冷凍室１０７との使い分け区分収納ができる。
【００５６】
このように、本実施の形態では下部区画１１８の収納スペースを大きく増大させているため、複数の貯蔵室に分割、特に上下左右に分割しても手狭な印象を与えずに構成できることが最大の利点であり、使用形態に応じた区分収納ができるとともに、必要に応じた扉のみの開閉が行われ、使用者の開閉の負担や扉開閉による温度上昇が低減され、省エネにも繋がる。
【産業上の利用可能性】
【００５７】
以上のように、本発明にかかる冷蔵庫は、圧縮機を天面後方に収納し、最下段を左右領域に区画した引き出し扉を備えた貯蔵室で構成することで、収納スペースの増大と出し入れし易さを両立することができ、さらに目的に応じた区分収納及び使用頻度に応じたレイアウト構成にすることが可能となるので、同様の引出し扉を構成する冷蔵庫にも適用できる。
【図面の簡単な説明】
【００５８】
【図１】本発明の実施の形態１における冷蔵庫の正面図
【図２】同実施の形態における冷蔵庫の縦断面図
【図３】同実施の形態における冷蔵庫の扉を開けたときの斜視図
【図４】同実施の形態における冷蔵庫の天面後方の分解斜視図
【図５】同実施の形態における冷蔵庫の引き出し式扉を引き出した時の上から見た図
【図６】従来の冷蔵庫の扉を開けたときの斜視図
【図７】従来の冷蔵庫の縦断面図
【符号の説明】
【００５９】
１０１  冷蔵庫本体
１０２  断熱箱体
１０３  冷蔵室
１０４  製氷室
１０５  野菜室
１０６  第一の冷凍室
１０７  第二の冷凍室
１１６  仕切壁
１１７  上部区画
１１８  下部区画
１２０  圧縮機
１２３  摺動部材
【図１】
2007147224.tif 000003
【図２】
2007147224.tif 000004
【図３】
2007147224.tif 000005
【図４】
2007147224.tif 000006
【図５】
2007147224.tif 000007
【図６】
2007147224.tif 000008
【図７】
2007147224.tif 000009